(57)【要約】装置に携わる様々なユーザーの習熟度を問わず、全てのユーザーにわかりやすく確実に実施させる作業フローを表示切り替えにより簡易に行える自動分析装置を提供することにある。自動分析装置は、サンプルを自動的に分析して検査項目の濃度を求めるであって、測定に必要な作業フローを複数の作業ステップを表示する表示入力部３１４を備える。表示入力部３１４には、ワークフロー最大表示と、ワークフロー縮小表示とが選択的に表示可能である。ワークフロー最大表示は、一連の操作や作業を示すワークフローの表示において、複数の操作や作業をその処理の順番に表示するワークフロー最大表示と、一連の操作や作業を示すものである。ワークフロー縮小表示は、ワークフローの表示において、具体的な操作や作業と、その操作や作業が全体のその処理の順番の中でどこに位置するかを表示するものである。
2012165229.tif 000002
【特許請求の範囲】
【請求項１】
測定に必要な作業フローを複数の作業ステップを表示する表示手段を備え、サンプルを自動的に分析して検査項目の濃度を求める自動分析装置であって、
前記表示手段には、ワークフロー最大表示と、ワークフロー縮小表示とが選択的に表示可能であり、
前記ワークフロー最大表示は、一連の操作や作業を示すワークフローの表示において、複数の操作や作業をその処理の順番に表示するワークフロー最大表示と、一連の操作や作業を示すものであり、
前記ワークフロー縮小表示は、ワークフローの表示において、具体的な操作や作業と、その操作や作業が全体のその処理の順番の中でどこに位置するかを表示するものであることを特徴とする自動分析装置。
【請求項２】
請求項１記載の自動分析装置において、
前記ワークフロー縮小表示は、表示された具体的な操作や作業から前後の作業ステップに移動するための作業ステップボタン及びスクロールボタンの表示を含むことを特徴とする自動分析装置。
【請求項３】
請求項１記載の自動分析装置において、
前記表示手段には、前記ワークフロー最大表示とともに、作成・保管されたメッセージを表示することを特徴とする自動分析装置。
【請求項４】
請求項３記載の自動分析装置において、
前記保管されたメッセージを条件により選択的に表示することを特徴とする自動分析装置。
【請求項５】
請求項３記載の自動分析装置において、
前記表示されたメッセージの内、未読のメッセージが存在する場合に表示画面上に区別して表示することを特徴とする自動分析装置。
【請求項６】
請求項１記載の自動分析装置において、
前記ワークフロー最大表示にて表示された作業フローの順序や作業ステップ内容が編集可能であることを特徴とする自動分析装置。
【請求項７】
請求項１記載の自動分析装置において、
前記ワークフロー縮小表示時は、他の画面の情報を同時に確認できることを特徴とする自動分析装置。
【発明の詳細な説明】
【技術分野】
【０００１】
本発明は、血液，尿などの検体を分析する自動分析装置に係り、特に、表示部に作業フロー（ワークフロー）を表示するに好適な自動分析装置に関する。
【背景技術】
【０００２】
血液，尿などの検体を分析する自動分析装置は、様々な作業簡便化がメーカなどにより試みられているが、キャリブレーション，メンテナンス，試薬交換など患者検体の測定の前後に行うユーザーによる作業が多い。これら一連の操作や作業ワークフローを確実に行わないと正確な測定結果が出力されない可能性があり、測定結果の信頼性を維持する必要のある医療機器を取り扱う上でこれらの作業が重要である。【０００３】
そのため、不慣れなユーザーでも装置を正しくオペレーション実施できるように、測定前後の作業フロー（ワークフロー）を装置の画面上に表示させ、作業必須の項目により表示色を区別するなどしてユーザーを誘導し、誤操作や作業漏れを低減することができる方法が提案されている（例えば、特許文献１参照）。【０００４】
また、ユーザーの習熟レベルに応じて、表示させる作業フロー，画面，対応する説明なども設定するものが知られている（例えば、特許文献２参照）。
【先行技術文献】
【特許文献】
【０００５】
【特許文献１】特許第３９９０９４４号公報
【特許文献２】特開２０１０−１９７１４８号公報
【発明の概要】
【発明が解決しようとする課題】
【０００６】
ここで、ワークフローには様々な目的の作業が含まれるため、それに対応する関連画面も多岐に渡ることが多い。また、自動分析装置の多機能化に伴い、画面構造が複雑になり操作する画面数が増えてきている。【０００７】
それに対して、特許文献１や特許文献２に記載の方法では、現状のワークフローを表示する画面は、必要な作業に対応した作業ステップを選択するとワークフローの表示画面が閉じることになる。再度、ワークフローの画面を呼び出し次の作業を続けるためにボタンを選択すると、また画面が遷移する。【０００８】
また、ユーザーの習熟度を判別し表示される画面を切り分けるためには、ログインＩＤの切り替えや設定変更を必要とするため、習熟したユーザーでも確認したいことがあった場合にすぐに画面を切り替えられず手間がかかることが懸念される。【０００９】
また、ワークフローとの関連性を把握するため、作業中の同一画面にワークフローを表示させようとすると、個々の作業ステップを小さく表示させなければならず視認性が悪くなり、作業性が悪化する。【００１０】
本発明の目的は、装置に携わる様々なユーザーの習熟度を問わず、全てのユーザーにわかりやすく確実に実施させる作業フローを表示切り替えにより簡易に行える自動分析装置を提供することにある。
【課題を解決するための手段】
【００１１】
（１）上記目的を達成するために、本発明は、測定に必要な作業フローを複数の作業ステップを表示する表示手段を備え、サンプルを自動的に分析して検査項目の濃度を求める自動分析装置であって、前記表示手段には、ワークフロー最大表示と、ワークフロー縮小表示とが選択的に表示可能であり、前記ワークフロー最大表示は、一連の操作や作業を示すワークフローの表示において、複数の操作や作業をその処理の順番に表示するワークフロー最大表示と、一連の操作や作業を示すものであり、前記ワークフロー縮小表示は、ワークフローの表示において、具体的な操作や作業と、その操作や作業が全体のその処理の順番の中でどこに位置するかを表示するものである。  
かかる構成により、装置に携わる様々なユーザーの習熟度を問わず、全てのユーザーにわかりやすく確実に実施させる作業フローを表示切り替えにより簡易に行えるものとなる。【００１２】
（２）上記（１）において、好ましくは、前記ワークフロー縮小表示は、表示された具体的な操作や作業から前後の作業ステップに移動するための作業ステップボタン及びスクロールボタンの表示を含むものである。【００１３】
（３）上記（１）において、好ましくは、前記表示手段には、前記ワークフロー最大表示とともに、作成・保管されたメッセージを表示するようにしたものである。【００１４】
（４）上記（３）において、好ましくは、前記保管されたメッセージを条件により選択的に表示するようにしたものである。【００１５】
（５）上記（３）において、好ましくは、前記表示されたメッセージの内、未読のメッセージが存在する場合に表示画面上に区別して表示するようにしたものである。【００１６】
（６）上記（１）において、好ましくは、前記ワークフロー最大表示にて表示された作業フローの順序や作業ステップ内容が編集可能である。【００１７】
（７）上記（１）において、好ましくは、前記ワークフロー縮小表示時は、他の画面の情報を同時に確認できるものである。
【発明の効果】
【００１８】
本発明によれば、装置に携わる様々なユーザーの習熟度を問わず、全てのユーザーにわかりやすく確実に実施させる作業フローを表示切り替えにより簡易に行えるものとなる。
【図面の簡単な説明】
【００１９】
【図１】本発明の一実施形態による自動分析装置の構成図である。
【図２】本発明の一実施形態による自動分析装置において表示入力部に表示される操作画面の説明図である。
【図３】本発明の一実施形態による自動分析装置において表示入力部に表示される操作画面の説明図である。
【図４】本発明の一実施形態による自動分析装置において表示入力部に表示される操作画面の説明図である。
【図５】本発明の一実施形態による自動分析装置において表示入力部に表示される操作画面の説明図である。
【図６】本発明の一実施形態による自動分析装置において表示入力部に表示されるワークフロー編集画面の説明図である。
【発明を実施するための形態】
【００２０】
以下、図１〜図６を用いて、本発明の一実施形態による自動分析装置の構成及び動作について説明する。  
最初に、図１を用いて、本実施形態による自動分析装置の構成について説明する。  
図１は、本発明の一実施形態による自動分析装置の構成図である。
【００２１】
本実施形態の自動分析装置は、主として、試薬容器収納部である２つの試薬ディスク３０１と２つの試薬ディスク３０１のそれぞれ近傍に設けられた試薬分注ピペッタ３０２を備えた試薬系と、試料分注ピペッタ３０３を備えたサンプル系と、反応容器３０４を含んだ反応ディスク３０５を備えた反応系と、多波長光度計３０６とアナログ／デジタルコンバータ３０７を備えた測定系と、制御部（コンピュータ）３１２と表示入力部３１４とからなる操作制御系とから構成される。
【００２２】
試料容器１０８の設置されたラック１０７は、搬送部１０２により試料吸引位置３０８へと搬送される。試料分注ピペッタ３０３は、試料容器１０８内の試料を吸引し、反応ディスク３０５に保持された反応容器３０４の中に所定量分注する。
【００２３】
試料液が吐出分注された反応容器３０４は、恒温槽３０９に連絡された反応ディスク３０５の中を第一試薬添加位置まで移動される。この時、試薬ディスク３０１は、回転動作によって現在の分析項目に該当する試薬容器３１０を昇降アームに保持された試薬分注ピペッタ３０２の下に位置するように移動する。そして、第一試薬添加位置まで移動された反応容器３０４には、試薬分注ピペッタ３０２に吸引された所定の第一試薬が加えられる。第一試薬の添加後の反応容器３０４は攪拌装置３１１の位置まで移動され、攪拌装置３１１により最初の攪拌が行われる。
【００２４】
内容物が攪拌された反応容器３０４に、光源から発生された光束が通過し、多波長光度計３０６に入射する。そして、反応容器３０４の内容物である反応液の吸光度が多波長光度計３０６により検知される。検知された吸光度信号は、アナログ／デジタル（Ａ／Ｄ）コンバータ３０７及びインターフェイスを介して制御部（コンピュータ）３１２に供給され、試料液中の測定対象の分析項目濃度に変換される。表示入力部３１４は、制御部３１２に接続され、分析結果や操作画面を表示するグラフィックユーザインターフェース（ＧＵＩ）である。表示入力部３１４に操作画面が表示されている状態で、マウス等を用いて、操作画面に表示されたボタンをクリックすることで、操作できる。
【００２５】
測定が終了した反応容器３０４は、洗浄機構の位置まで移動され、反応容器洗浄機構による洗浄位置にて内部の液が排出された後に、水で洗浄され、次の分析に供される。
【００２６】
次に、図２〜図５を用いて、本発明の一実施形態による自動分析装置において表示入力部に表示される操作画面の内容について説明する。  
図２〜図５は、本発明の一実施形態による自動分析装置において表示入力部に表示される操作画面の説明図である。
【００２７】
本実施形態では、自動分析装置の操作画面にワークフローを表示するようにしているが、その表示形態として２種類ある。第1の形態は、図２に示すワークフロー最大表示であり、第２の形態は、図４に示すワークフロー縮小表示である。ワークフロー最大表示とは、一連の操作や作業を示すワークフローの表示において、複数の操作や作業をその処理の順番に表示するものである。ワークフロー縮小表示とは、表示に要する面積がワークフロー最大表示に比べて小さく、その分、他の表示面積を大きくできるものである。そのために、ワークフロー縮小表示とは、一連の操作や作業を示すワークフローの表示において、具体的な操作や作業と、その操作や作業が全体のその処理の順番の中でどこに位置するかを表示するものである。それぞれ、図２及び図４を用いて後述する。なお、ここで、具体的な操作や作業を表示できる数は、単数の場合もあるし、複数のものも含む物である。表示できる数は画面構成等に依存するためである。このため、ワークフロー縮小表示には、複数の具体的な操作や作業と、これらの操作や作業が全体のその処理の順位の中でどこに位置するかを表示してもよい。具体的な操作や作業を一つだけ表示する場合には、複数の場合と比べ、同じ表示面積であれば、具体的な操作や作業を大きく表示でき視認性を高めることができる。
【００２８】
最初に、図２及び図３を用いて、本発明の一実施形態による自動分析装置におけるワークフロー最大表示の表示内容について説明する。
【００２９】
図２に示すワークフロー最大表示の表示画面は、システム状況画面を示し、操作ガイダンス部５０２とメッセージリスト部５０３との主に２つの部分から構成される。
【００３０】
２つの主要部以外には、装置の状態や日付などを示すステータス表示部５０１と、分析装置への測定開始，終了などを指示するグローバルメニュー表示部５０６と、試薬，検体ラック，キャリブレーション，データモニタ，精度管理などの各種の状況モニタボタン表示部５０４とが表示される。
【００３１】
次に、操作ガイダンス部５０２と、メッセージリスト部５０３との詳細について説明する。なお、メッセージリスト部５０３については、図３を用いて後述する。
【００３２】
操作ガイダンス部５０２は、ワークフロー表示部とも読み替えることができる。システム状況画面の操作ガイダンス部５０２には、「試薬準備」ボタン，「検体削除」ボタン，「キャリブレーション」ボタン，「ルーチンＱＣ」ボタン，「待機ＱＣ」ボタン、「結果印字」ボタン、「結果保存」ボタン、「メンテナンス」ボタンが、作業順や操作順に配置されている。この表示では、一連の操作や作業を示すワークフローの表示において、複数の操作や作業をその処理の順番に表示しており、これを、「ワークフロー最大表示」と称する。
【００３３】
なお、これらのワークフローの各操作や作業以外にも、例えば、パラメータダウンロード、推奨キャリブ、スタートアップキャリブ、タイムアウトＱＣ、キャリブ・ＱＣ・ロードリスト印字、キャリブ結果の保存、ＱＣ結果の累積などの各作業ステップに応じて、ボタンを配置することができる。
【００３４】
また、図２に示す例では、８個のボタンを表示しているが、オペレーターの習熟度に応じて、画面に表示させる作業ステップ表示数を自動で切り替えてもよいものである。オペレータの習熟度は、入力手段等を用いて、操作するオペレータが入力できるようにする。
【００３５】
なお、これらボタンは、例えばメンテナンス実施状況、現在搭載されている試薬残量などの情報によって表示色を変化させる。オペレーターはその色情報に基づき、測定に必要な作業を進める。これらの操作ガイダンス部５０２に表示させる作業ステップボタンは、オペレーターにより編集可能とする。ボタンの編集については、図６を用いて後述する。
【００３６】
システム状況画面表示時、ワークフロー画面の「閉じる」ボタン５０５を操作することで、画面を閉じることができる。また、図２に示す表示画面において、「縮小化」ボタン５０８を操作することで、図４に示すワークフロー縮小表示に切り替えることができる。表示の切替は、「縮小化」ボタン５０８が操作されたことを図１の制御部３１２が検知すると、それに応じて、ワークフロー縮小表示を表示入力部３１４に表示する。
【００３７】
また、ワークフローの操作以外に、ユーザー同士が必要事項を伝えあうメッセージリスト部５０３を組み合わせて表示している。これにより、作業するユーザーが今必要な作業を一度で効率よく確認できる画面となっている。
【００３８】
なお、図１に示したシステム状況画面は、装置状態の概要をまず初めに把握できるよう装置起動時には自動で表示されることが望ましい。
【００３９】
次に、図３を用いて、システム状況画面表示の中の、メッセージリスト部５０３の詳細について説明する。
【００４０】
メッセージリスト部５０３には、複数のメッセージ６０２がリスト形式で表示される。メッセージ６０２は、申し送り事項を確認するためのものである。メッセージ６０２にカーソルを合わせることにより、メッセージの全文表示がされる。また、選択したメッセージを削除することもできる。なお、未読のメッセージには、メールアイコン６０１を表示させる。それぞれのメッセージの重要性、緊急性に応じてアイコンを表示させることもできる。
【００４１】
「新規メッセージ作成」ボタン６０３は、「新規メッセージ作成」ボタン６０３をクリックすることで、新しいメッセージを作成でき、送信することができる。送信宛先として、オペレーター、サービスなどを選択できる。
【００４２】
「メッセージ絞込み」ボタン６０４は、メッセージリスト部５０３にあるメッセージ６０２をメッセージの種類や状態に応じて絞り込むために用いられる。例えば、「メッセージ絞込み」ボタン６０４にて「全て表示」を選択した場合、メッセージリスト部５０３にあるメッセージ６０２を全て表示する。他には、「未読のみ」や、「今週のみ」、「サービス」、「重要」などで絞込みができる。
【００４３】
次に、図４及び図５を用いて、本発明の一実施形態による自動分析装置におけるワークフロー縮小表示の表示内容について説明する。
【００４４】
図４に示すワークフロー縮小表示の表示画面は、検体リスト画面を示し、主に設定・入力表示部５１０から構成される。この部分以外には、装置の状態や日付などを示すステータス表示部５０１と、分析装置への測定開始，終了などを指示するグローバルメニュー表示部５０６と、試薬，検体ラック，キャリブレーション，データモニタ，精度管理などの各種の状況モニタボタン表示部５０４とが表示される。
【００４５】
そして、本例では、ステータス表示部５０１の一部として、縮小化表示したワークフロー（ワークフロー縮小表示）５１１が表示されている。ステータス表示部５０１は、装置が測定中は選択された検体情報の分析終了目安時間などを表示するとともに、スタンバイ状態には自動で常に縮小化ワークフローを表示する。
【００４６】
ここで、「最大化」ボタン５０９を選択すると、図２におけるワークフロー最大化表示の画面に遷移できる。
【００４７】
次に、図５を用いて、ワークフロー縮小表示部５１１の詳細について説明する。
【００４８】
「作業ステップ」ボタン５１３（５１３ａ，５１２ｂ，５１３ｃ）は、ワークフローを構成する作業ステップを表示している。本表示部にワークフローの全作業内容を表示することは困難だが、少なくとも１つの作業ステップを表示する。ここでは、「検体削除」という具体的な操作（作業）を「作業ステップ」ボタン５１３ｂにより、表示するとともに、その前後の作業ステップがある場合には、それを、「作業ステップ」ボタン５１３ａ，５１３ｃとして、シンボル表示している。すなわち、この例では、３つの作業ステップを示し、そのうち、中央の作業ステップ５１３ａのみ作業ステップのテキストを表示している。なお、表示する作業ステップの数は、予め固定とするか、またはユーザーが画面上から任意に設定を可能とすることができる。
【００４９】
ここで、作業ステップボタン５１３（５１３ａ，５１２ｂ，５１３ｃのいずれか）をクリックすると、該当する作業画面へと移動する。図４の例では、「検体削除」をクリックした結果、設定・入力表示部５１０には、「検体リスト」及び「検査結果」が表示され、「検体リスト」の中から、削除したい検体を選択して削除することができる。
【００５０】
作業ステップボタン５１３ａにおいて必要な作業がある場合、システム状況画面上のワークフロー操作と同様に、自動的に作業ステップボタン５１３ａを必要性や緊急性に応じて他の作業ステップと表示色を区別する。
【００５１】
作業ステップボタン５１３ｂまたは５１３ｃのようにテキストが表示されていない前後のボタンをクリックすると、自動的にそのボタンが中央にくることでテキスト全体が表示されるようになる。例えば、図２の操作ガイダンス部５０２に示すように、「検体削除」の前の作業ステップが、「試薬準備」ステップであり、「検体削除」の後の作業ステップが、「キャリブレーション」ステップである場合に、作業ステップボタン５１３ｂをクリックすると、作業ステップボタン５１３ａの位置には、「試薬準備」のテキストが表示され、作業ステップボタン５１３ｃをクリックすると、作業ステップボタン５１３ａの位置には、「キャリブ」のテキストが表示される。
【００５２】
全フローインジケータ５１４は、表示されている中央の作業ステップ５１３ａの、全フローにおける位置づけを表示する。
【００５３】
このように、ワークフロー縮小表示部５１１では、「作業ステップ」ボタン５１３（５１３ａ，５１２ｂ，５１３ｃ）と、全フローインジケータ５１４とにより、具体的な操作や作業と、その操作や作業が全体のその処理の順番の中でどこに位置するかを表示するようにしている。
【００５４】
スクロールボタン５１２（５１２ａ，５１２ｂ）は、表示されている作業ステップから他の前後の作業ステップへ移動するための入力手段である。
【００５５】
なお、ワークフローにおいて作業が必要な作業ステップが前後に（他に）存在する場合、スクロールボタン５１２を必要性や緊急性に応じて進行方向を自動的に区別して色づけすることでユーザをその作業ステップへ的確に誘導することも可能である。例えば、スクロールボタン５１２ｂの方の作業ステップが、スクロールボタン５１２ａの方の作業ステップよりも必要性が大の場合には、スクロールボタン５１２ｂを「赤色」に表示して、必要性が大であることが一目で分かるようにする。
【００５６】
一方、スクロールボタン５１２の表示色が変わっていない場合は、他に作業が必要な作業ステップがないことを認識できるため、全作業ステップをわざわざ確認する必要が無く手間を省略することができる。
【００５７】
従って、例えば、スクロールボタン５１２ａが緊急性を示す赤色、スクロールボタン５１２ｂが標準状態を示す灰色、を表示している場合は、ユーザーはスクロールボタン５１２ａを押下し作業が必要な作業ステップへ移動することが可能となる。
【００５８】
「最大化」ボタン５０９をクリックすると、ワークフロー縮小表示部５１１において表示しているワークフローの縮小化された表示を、図２に示した最大化の表示に切り替える。「最大化」ボタン５０９は、拡張ボタンと読み替え、拡張したワークフローを最前面に表示させることともできる。
【００５９】
「ワークフロー呼出／閉じる」ボタン５０７は、ワークフローの表示状態に応じて、ワークフロー表示を変更または閉じるものである。例えば、システム状況画面が表示されているときに「ワークフロー呼出／閉じる」ボタン５０７をクリックすると、システム状況画面を閉じることができる。
【００６０】
また、警告や注意喚起、お知らせなどがある場合はアイコン表示とさらにボタンの色を変化させ、画面を開く前にユーザーが知り得るようにできる。例えば、申し送り事項などのメッセージが未読で存在する場合は、「ワークフロー呼出／閉じる」ボタン５０７のアイコン表示がメールのアイコンなどに表示を変えることでユーザーに知らせることができる。
【００６１】
ワークフロー操作に関する表示以外に、システム状況画面では、ユーザー同士の申し送り事項や、サービスメンテナンスとのやり取りなど、イレギュラーな業務、特記事項を操作画面上でメッセージとして伝え合うことも可能である。
【００６２】
次に、図６を用いて、本発明の一実施形態による自動分析装置において表示入力部に表示されるワークフロー編集画面の内容について説明する。  
図６は、本発明の一実施形態による自動分析装置において表示入力部に表示されるワークフロー編集画面の説明図である。
【００６３】
ワークフローは、各施設の使用状況などに応じて表示数（最大登録数は画面構成などにもよる）、作業ステップ内容、順序などを編集することができる。ワークフロー編集画面には、ジョブリスト選択部５３１、ジョブリスト選択ボタン部５３２、ワークフローリスト表示部５３３、ワークフローの作業ステップ順序を編集する順序ボタン５３６が含まれる。
【００６４】
ジョブリスト選択部５３１により、作業ステップを選択し、ジョブリスト選択ボタン部５３２より設定を選択することでワークフローリスト表示部５３３に表示を反映する。
【００６５】
また、ワークフローリスト表示部５３３より作業ステップを選択し、ジョブリスト選択ボタン部５３２より解除を選択することでワークフローリスト表示部５３３には選択された作業ステップが解除される。
【００６６】
編集したワークフローリストは、登録ボタン５３４またはキャンセルボタン５３５にて登録またはキャンセルすることができる。
【００６７】
なお、図６に示したワークフロー編集画面は、「システム設定画面」から起動することができる。ワークフローは、自動分析装置が設置される施設により異なるものであるが、一度その施設で設定されると、変更されることはかなり少ないことが想定される。そのため、ワークフロー編集画面は、システム設定画面上に設けた”ワークフロー編集”のボタン等からの起動することができる。なお、システム設定画面とは、必要なメンテナンス項目を組み合わせて一括して実行するための一括準備動作の登録や、検体ＩＤ運用方法の設定など、装置の運用に関する画面のことである。
【００６８】
以上説明したように、本実施形態によれば、ワークフロー最大表示と、ワークフロー縮小表示とを選択的に表示可能とすることにより、画面遷移にかかる時間や手間を省略し、測定に必要な複雑な作業の漏れや後戻り作業が発生することなく効率よくユーザーが行うことができる。
【００６９】
また、ワークフロー最大表示と、ワークフロー縮小表示とを簡易に切り替えできることにより、ユーザーの様々な習熟度を問わず、わかりやすいワークフローを提供し、測定結果の信頼性が確保できる。
【００７０】
また、ワークフロー最大表示画面と同一画面にてユーザー同士やサービスからの申し送りや注意事項を確認できるため、ユーザーが必要な作業と共に注意事項などを同時に確認することができ、操作性が向上する。
【００７１】
また、ワークフロー縮小表示においても、表示中の作業ステップから他の作業ステップへスクロール（移動）できることで、ワークフローの最大表示形態と同じ操作を可能とする。
【００７２】
さらに、ワークフロー縮小表示は、ユーザーによる作業画面がどのような画面においても常に表示することで画面遷移を必要とせず、同一画面にてワークフローと所望の操作画面を閲覧することができる。このため、測定に必要な作業の漏れや後戻り作業が発生することなく確実にユーザーが行うことが可能なため、信頼性のある測定結果を提供することができる。
【００７３】
また、ワークフロー縮小表示は、従来のステータスを表示していたエリアの一部に縮小表示形態を表示させるだけなので画面構成、ソフト変更に多大な時間と労力をかけることなく変更可能である。
【符号の説明】
【００７４】
１０２…搬送部
１０７…ラック
１０８…試料容器
３１０…試薬容器
３０１…試薬ディスク
３０９…恒温槽
３０４…反応容器
３０３…試料分注ピペッタ
３０８…試料吸引位置
３０２…試薬分注ピペッタ
３０５…反応ディスク
３０６…多波長光度計
３０７…アナログ／デジタルコンバータ
３１１…攪拌装置
３１２…コンピュータ
３１４…表示入力部
５０１…ステータス表示部
５０２…操作ガイダンス部
５０３…メッセージリスト部
５０４…状況モニタ表示部
５０５…「ワークフロー画面閉じる」ボタン
５０６…グローバルメニュー表示部
５０７…「ワークフロー呼出／閉じる」ボタン
５０８…「縮小化」ボタン
５０９…「最大化」ボタン
５１０…設定・入力表示部
５１１…ワークフロー縮小表示部
５１２ａ、５１２ｂ…スクロールボタン
５１３ａ、５１３ｂ、５１３ｃ…作業ステップボタン
５３１…ジョブリスト選択部
５３２…ジョブリスト選択ボタン部
５３３…ワークフローリスト表示部
５３４…「登録」ボタン
５３５…「キャンセル」ボタン
５３６…「順序」ボタン
５１４…全フローインジケータ
６０１…メールアイコン
６０２…メッセージ
６０３…「新規メッセージ作成」ボタン
６０４…「メッセージ絞込み」ボタン
【図１】
2012165229.tif 000003
【図２】
2012165229.tif 000004
【図３】
2012165229.tif 000005
【図４】
2012165229.tif 000006
【図５】
2012165229.tif 000007
【図６】
2012165229.tif 000008
【国際調査報告】
2012165229.tif 000009
2012165229.tif 000010